(57)【要約】【課題】  各種サーバへの初期設定操作を軽減させて、ユーザの利便性を向上させる。【解決手段】  ＵＲＬ情報取得部１１は、ＱＲコードからＵＲＬ情報を取得する。ＡＰ探索部１２は、ＵＲＬ情報に含まれる探索指示情報がＯＮである場合にアクセスポイントを探索する。ＡＰ設定情報取得部１３は、アクセスポイント設定情報を取得する。ＡＰ設定実行部１４は、アクセスポイントに接続するための初期設定を実行する。サーバ設定情報取得部１５は、ＳＩＰサーバおよびプレゼンスサーバに帰属するためのサーバ設定情報をＵＲＬ先であるＷＥＢサーバから取得する。サーバ設定実行部１７は、サーバ設定情報に基づいてＳＩＰサーバおよびプレゼンスサーバのそれぞれに接続するための初期設定を実行する。【選択図】  図２
2007102562.tif 000002
【特許請求の範囲】
【請求項１】
所定のＵＲＬを含むＵＲＬ情報を取得するＵＲＬ情報取得手段と、
前記ＵＲＬ情報取得手段により取得された前記ＵＲＬ情報に、無線ＬＡＮのアクセスポイントを探索するように指示することを示す探索指示情報が含まれている場合に、無線チャネルをスキャンして、前記アクセスポイントを探索するアクセスポイント探索手段と、
前記アクセスポイント探索手段により探索された前記アクセスポイントに接続するためのアクセスポイント設定情報を取得するアクセスポイント設定情報取得手段と、
前記アクセスポイント設定情報取得手段により取得された前記アクセスポイント設定情報に基づいて、前記アクセスポイントに接続するための設定を実行するアクセスポイント設定実行手段と、
前記アクセスポイント設定実行手段により設定された前記アクセスポイントを介して、前記ＵＲＬ情報取得手段により取得されたＵＲＬ情報に含まれる前記ＵＲＬ先のサイトに接続する接続手段と、
前記接続手段により接続されたサイトから、一または複数のサーバに帰属するためのサーバ設定情報を取得するサーバ設定情報取得手段と、
前記サーバ設定情報取得手段により取得された前記サーバ設定情報に基づいて、前記サーバに帰属するための設定を実行するサーバ設定実行手段と、
を備えることを特徴とする移動通信端末。
【請求項２】
前記アクセスポイント設定情報取得手段により取得された前記アクセスポイント設定情報と、前記サーバ設定情報取得手段により取得された前記サーバ設定情報とをリンケージして一つのプロファイルに統合する統合手段をさらに備え、
前記サーバ設定実行手段は、前記統合手段により統合された後の前記サーバ設定情報に基づいて、前記サーバに帰属するための設定を実行することを特徴とする請求項１記載の移動通信端末。
【発明の詳細な説明】
【技術分野】
【０００１】
本発明は、移動通信端末に関する。
【背景技術】
【０００２】
一般に、移動通信端末が無線ＬＡＮ網に接続する場合には、アクセスポイントを介して接続する。移動通信端末がアクセスポイントに接続するためには、例えば、ＳＳＩＤ（Service Set Identifier）やＷＥＰ（Wired EquivalentPrivacy）等の設定情報を移動通信端末に入力して設定しなければならない。この設定情報は、アクセスポイントごとに異なるため、ユーザは、アクセスポイントごとに設定情報を入力して設定しなければならない。このようなわずらわしさを解決するために、下記特許文献１には、アクセスポイントの設定情報をホスト端末からダウンロードして設定するための技術が開示されている。
【特許文献１】特開２００４−２３４１６２号公報
【発明の開示】
【発明が解決しようとする課題】
【０００３】
ところで、移動通信端末が無線ＬＡＮ網を介して接続可能なサーバの中には、例えば、ＳＩＰ（Session Initiation Protocol）サーバやプレゼンスサーバ等のように、移動通信端末側で個別に初期設定をしなければ帰属することができないサーバがある。上述した特許文献１に開示された技術では、ネットワーク上のサーバに対する初期設定については個別に行う必要がある。今後は、例えば、プレゼンスサービスのように、移動通信端末が複数のサーバに帰属するサービス形態が増加することが予想される。したがって、ユーザが、複数のサーバの初期設定を個別に行わなければならないとすると、ユーザの利便性が低下してしまう。
【０００４】
そこで、本発明は、上述した課題を解決するために、各種サーバへの初期設定操作を軽減させて、ユーザの利便性を向上させることができる移動通信端末を提供することを目的とする。
【課題を解決するための手段】
【０００５】
本発明の移動通信端末は、所定のＵＲＬを含むＵＲＬ情報を取得するＵＲＬ情報取得手段と、ＵＲＬ情報取得手段により取得されたＵＲＬ情報に、無線ＬＡＮのアクセスポイントを探索するように指示することを示す探索指示情報が含まれている場合に、無線チャネルをスキャンして、アクセスポイントを探索するアクセスポイント探索手段と、アクセスポイント探索手段により探索されたアクセスポイントに接続するためのアクセスポイント設定情報を取得するアクセスポイント設定情報取得手段と、アクセスポイント設定情報取得手段により取得されたアクセスポイント設定情報に基づいて、アクセスポイントに接続するための設定を実行するアクセスポイント設定実行手段と、アクセスポイント設定実行手段により設定されたアクセスポイントを介して、ＵＲＬ情報取得手段により取得されたＵＲＬ情報に含まれるＵＲＬ先のサイトに接続する接続手段と、接続手段により接続されたサイトから、一または複数のサーバに帰属するためのサーバ設定情報を取得するサーバ設定情報取得手段と、サーバ設定情報取得手段により取得されたサーバ設定情報に基づいて、サーバに帰属するための設定を実行するサーバ設定実行手段と、を備えることを特徴とする。
【０００６】
この発明によれば、ＵＲＬ情報取得手段およびアクセスポイント探索手段を備えることによって、無線ＬＡＮのアクセスポイントを探索するように指示することを示す探索指示情報が含まれたＵＲＬを取得した場合に、アクセスポイントを探索させることができる。また、アクセスポイント設定情報取得手段、アクセスポイント設定実行手段、接続手段およびサーバ設定情報取得手段を備えることによって、探索したアクセスポイントを介してＵＲＬ情報に含まれるＵＲＬ先のサイトに接続させることができ、このサイトから一または複数のサーバに帰属するためのサーバ設定情報を取得させることができる。また、サーバ設定実行手段を備えることによって、取得したサーバ設定情報に基づいて、一または複数のサーバに帰属するための設定を実行させることができる。すなわち、ＵＲＬ情報に基づいて接続した所定のサイトからサーバ設定情報を取得し、このサーバ設定情報に基づいて、一または複数のサーバに帰属するための設定を実行させることができる。したがって、一または複数のサーバに帰属するための初期設定操作を軽減させることができ、ひいては、ユーザの利便性を向上させることができる。
【０００７】
本発明の移動通信端末において、アクセスポイント設定情報取得手段により取得されたアクセスポイント設定情報と、サーバ設定情報取得手段により取得されたサーバ設定情報とをリンケージして一つのプロファイルに統合する統合手段をさらに備え、上記サーバ設定実行手段は、統合手段により統合された後のサーバ設定情報に基づいて、サーバに帰属するための設定を実行することが好ましい。
【０００８】
このようにすれば、アクセスポイント設定情報とサーバ設定情報を一つのプロファイルに統合させることができるため、移動通信端末における処理効率を向上させることができる。
【発明の効果】
【０００９】
本発明に係る移動通信端末によれば、各種サーバへの初期設定操作を軽減させて、ユーザの利便性を向上させることができる。
【発明を実施するための最良の形態】
【００１０】
以下、本発明に係る移動通信端末の実施形態を図面に基づき説明する。なお、各図において、同一要素には同一符号を付して重複する説明を省略する。
【００１１】
図１は、実施形態における通信システム１のシステム構成を例示する図である。図１に示すように、通信システム１は、携帯電話機１０（移動通信端末）と、アクセスポイント２０と、ＷＥＢサーバ３０と、ＳＩＰサーバ４０と、プレゼンスサーバ５０とを有する。
【００１２】
アクセスポイント２０は、携帯電話機１０が無線ＬＡＮ網９０に接続するために設けられる中継装置である。
【００１３】
ＷＥＢサーバ３０は、携帯電話機１０がＳＩＰサーバ４０やプレゼンスサーバ５０に帰属するためのサーバ設定情報を管理する。このサーバ設定情報は、データベースに格納されて管理される。サーバ設定情報としては、例えば、ＳＩＰサーバ４０およびプレゼンスサーバ５０のＩＰアドレスやポート番号が該当する。
【００１４】
ＳＩＰサーバ４０およびプレゼンスサーバ５０は、例えば、プレゼンスサービスを提供する際に用いられる周知のサーバ装置である。
【００１５】
携帯電話機１０は、自機が在圏する通信エリアをカバーするアクセスポイント２０や基地局（不図示）と無線通信を行うことができる移動通信端末である。携帯電話機１０には、無線リンク種別の一つであるＩＥＥＥ８０２．１１ｂに対応した無線ＬＡＮ機能が搭載されている。携帯電話機１０は、物理的には、ＣＰＵ、通信装置、メモリ、入力キー、ディスプレイ等を有している。
【００１６】
なお、本実施形態における通信システム１では、移動通信端末の具体例として携帯電話機１０を用いて説明しているが、移動通信端末の具体例はこれに限られず、例えば、簡易型携帯電話機（ＰＨＳ）や通信機能を有する携帯型情報端末（ＰＤＡ）等の移動通信端末であってもよい。
【００１７】
図１を参照して、携帯電話機１０の機能構成について説明する。図１に示すように、携帯電話機１０は、ＵＲＬ情報取得部１１（ＵＲＬ情報取得手段）と、ＡＰ探索部１２（アクセスポイント探索手段）と、ＡＰ設定情報取得部１３（アクセスポイント設定情報取得手段）と、ＡＰ設定実行部１４（アクセスポイント設定実行手段）と、サーバ設定情報取得部１５（接続手段，サーバ設定情報取得手段）と、設定情報統合部１６（統合手段）と、サーバ設定実行部１７（サーバ設定実行手段）とを有する。
【００１８】
ＵＲＬ情報取得部１１は、例えば、ＱＲ（QuickResponse）コード等の２次元コードを読み取ることによって、ＵＲＬ情報を取得する。このＵＲＬ情報には、例えば、ＷＥＢサーバ３０のＵＲＬや、無線ＬＡＮのアクセスポイントを探索するように指示することを示す探索指示情報が含まれる。この探索指示情報は、携帯電話機１０に対してアクセスポイントを探索するように指示する場合にＯＮに設定されるフラグ情報である。このような探索指示情報をＵＲＬ情報に含めることによって、取得した探索指示情報の内容に応じて、アクセスポイントを探索するか否かを判定させることができる。
【００１９】
なお、探索指示情報は、携帯電話機１０でアクセスポイントを探索するように指示されていることを判定させることができる情報であればよく、例えば、アクセスポイントを探索するように指示する場合にのみＵＲＬ情報に付加されるコード情報であってもよい。この場合には、ＵＲＬ情報にコード情報が付加されているか否かによって、アクセスポイントの探索が指示されているか否かを判定することができる。
【００２０】
また、ＵＲＬ情報取得部１１がＵＲＬ情報を取得する方法は、２次元コードを読み取ることには限られず、例えば、ＢｌｕｅｔｏｏｔｈやＨｏｍｅＲＦ等を用いた無線通信によりＵＲＬ情報を受信することとしてもよいし、ユーザが入力キーからＵＲＬ情報を直接入力することとしてもよい。ＵＲＬ情報を直接入力する場合には、ＵＲＬ情報が入力された後に、ユーザにアクセスポイントの探索指示の有無を選択させればよい。
【００２１】
ＡＰ探索部１２は、ＵＲＬ情報取得部１１により取得されたＵＲＬ情報に含まれる探索指示情報が、ＯＮに設定されている場合に、無線チャネルをスキャンして、携帯電話機１０の周辺に存在するアクセスポイントを探索する。
【００２２】
ＡＰ設定情報取得部１３は、ＡＰ探索部１２により探索されたアクセスポイント２０に接続するためのアクセスポイント設定情報を取得する。アクセスポイント設定情報としては、例えば、ＳＳＩＤやＷＥＰが該当する。なお、ＷＥＰは、必要に応じてアクセスポイント設定情報に付加される情報である。
【００２３】
ここで、ＡＰ設定情報取得部１３がアクセスポイント設定情報を取得するための具体的な方法について、以下に例示する。例えば、携帯電話機１０のディスプレイに、アクセスポイント設定情報を入力するための入力画面を表示させて、この入力画面に入力されたアクセスポイント設定情報を取得することとしてもよい。また、アクセスポイント設定情報を予めメモリに登録させて、このメモリに登録されたアクセスポイント設定情報を取得することとしてもよい。さらに、ＷＥＢサーバ３０でアクセスポイント設定情報を管理させて、ＷＥＢサーバ３０で管理されているアクセスポイント設定情報をダウンロードすることによって取得することとしてもよい。
【００２４】
ＡＰ設定実行部１４は、ＡＰ設定情報取得部１３により取得されたアクセスポイント設定情報をメモリに格納して、アクセスポイント２０に接続するための初期設定を実行する。具体的には、アクセスポイント２０のＳＳＩＤやＷＥＰの設定を実行する。
【００２５】
サーバ設定情報取得部１５は、ＡＰ設定実行部１４によりアクセスポイント設定情報が設定されたアクセスポイント２０を介して、ＵＲＬ情報取得部１１により取得されたＵＲＬ情報に含まれるＵＲＬ先に接続する。これにより、携帯電話機１０は、ＵＲＬ先のサイトであるＷＥＢサーバ３０に接続することになる。サーバ設定情報取得部１５は、サーバ設定情報を送信するように要求するメッセージをＷＥＢサーバ３０に送信する。サーバ設定情報取得部１５は、ＷＥＢサーバ３０から返信されるサーバ設定情報を受信する。これにより、サーバ設定情報取得部１５は、ＳＩＰサーバ４０およびプレゼンスサーバ５０に帰属するためのサーバ設定情報を取得することになる。
【００２６】
設定情報統合部１６は、ＵＲＬ情報取得部１１により取得されたＵＲＬ情報と、ＡＰ設定実行部１４によりメモリに格納されたアクセスポイント設定情報と、サーバ設定情報取得部１５により取得されたサーバ設定情報とをリンケージして一つのプロファイルに統合する。これにより、統合設定情報が生成されて統合設定情報ファイル１９に格納される。ここで、図３を参照して、統合設定情報ファイル１９のデータ構成について説明する。統合設定情報ファイル１９は、データ項目として、例えば、設定項目および設定内容を有する。設定項目としては、例えば、ＷＥＢサーバ接続情報、アクセスポイント設定情報、およびＳＩＰ・プレゼンスサーバ設定情報が該当する。設定内容としては、例えば、ＷＥＢサーバのＵＲＬ、アクセスポイントのＥＳＳＩＤおよびＷＥＰ、ならびにＳＩＰ・プレゼンスサーバのＩＰアドレスおよびポート番号が該当する。なお、統合設定情報には、アクセスポイント設定情報とサーバ設定情報とが含まれていればよく、必ずしもＵＲＬ情報を含むことを要しない。
【００２７】
サーバ設定実行部１７は、サーバ設定情報に基づいて、ＳＩＰサーバ４０およびプレゼンスサーバ５０のそれぞれに接続するための初期設定を実行する。具体的には、ＳＩＰサーバ４０およびプレゼンスサーバ５０のＩＰアドレスやポート番号の設定を実行する。サーバ設定実行部１７は、サーバ設定情報が設定されたＳＩＰサーバ４０およびプレゼンスサーバ５０のそれぞれに対して、登録処理実行要求メッセージを送信する。この登録処理実行要求メッセージは、携帯電話機１０を各サーバに帰属させるために必要な登録処理を実行するように要求するためのメッセージである。これにより、ＳＩＰサーバ４０およびプレゼンスサーバ５０において、携帯電話機１０を帰属させるための登録処理が実行される。この登録処理が完了すると、携帯電話機１０は、ＳＩＰサーバ４０およびプレゼンスサーバ５０に帰属することができ、例えば、プレゼンスサービスの提供を受けることが可能になる。
【００２８】
次に、図４を参照して、通信システムにおけるサーバ設定情報登録処理の流れについて説明する。
【００２９】
まず、携帯電話機１０のＵＲＬ情報取得部１１は、ＱＲコードを読み取ることによって、ＵＲＬ情報を取得する（ステップＳ１）。
【００３０】
次に、携帯電話機１０のＡＰ探索部１２は、ＵＲＬ情報取得部１１により取得されたＵＲＬ情報に含まれる探索指示情報が、ＯＮであるか否かを判定する（ステップＳ２）。この判定がＮＯである場合（ステップＳ２；ＮＯ）には、サーバ設定情報登録処理を終了する。
【００３１】
一方、ステップＳ２における判定で、探索指示情報が、ＯＮであると判定された場合（ステップＳ２；ＹＥＳ）に、ＡＰ探索部１２は、無線チャネルをスキャンして、携帯電話機１０の周辺に存在するアクセスポイントを探索する（ステップＳ３）。
【００３２】
次に、携帯電話機１０のＡＰ設定情報取得部１３は、ＡＰ探索部１２により探索されたアクセスポイント２０に接続するためのアクセスポイント設定情報を取得する（ステップＳ４）。
【００３３】
次に、携帯電話機１０のＡＰ設定実行部１４は、ＡＰ設定情報取得部１３により取得されたアクセスポイント設定情報をメモリに格納して、アクセスポイント２０に接続するための初期設定を実行する（ステップＳ５）。
【００３４】
次に、携帯電話機１０のサーバ設定情報取得部１５は、ＡＰ設定実行部１４によりアクセスポイント設定情報が設定されたアクセスポイント２０を介して、ＵＲＬ情報取得部１１により取得されたＵＲＬ情報に含まれるＵＲＬ先であるＷＥＢサーバ３０に接続する（ステップＳ６）。
【００３５】
次に、サーバ設定情報取得部１５は、ＳＩＰサーバ４０およびプレゼンスサーバ５０に帰属するためのサーバ設定情報を、ＷＥＢサーバ３０から取得する（ステップＳ７）。
【００３６】
次に、携帯電話機１０の設定情報統合部１６は、ＷＥＢサーバ３０に関するＵＲＬ情報と、アクセスポイント２０に関するアクセスポイント設定情報と、ＳＩＰサーバ４０およびプレゼンスサーバ５０に関するサーバ設定情報とをリンケージして一つのプロファイルに統合する（ステップＳ８）。
【００３７】
次に、携帯電話機１０のサーバ設定実行部１７は、サーバ設定情報に基づいて、ＳＩＰサーバ４０およびプレゼンスサーバ５０のそれぞれに接続するための初期設定を実行する（ステップＳ９）。
【００３８】
次に、サーバ設定実行部１７は、サーバ設定情報が設定されたＳＩＰサーバ４０およびプレゼンスサーバ５０のそれぞれに対して、携帯電話機１０を各サーバに帰属させるために必要な登録処理を実行するように要求する登録処理実行要求メッセージを送信する（ステップＳ１０）。
【００３９】
次に、ＳＩＰサーバ４０およびプレゼンスサーバ５０のそれぞれにおいて登録処理が完了すると、各サーバから登録完了メッセージが送信される（ステップＳ１１）。これにより、携帯電話機１０は、ＳＩＰサーバ４０およびプレゼンスサーバ５０に帰属することができるようになり、無線ＬＡＮ網９０を介して、ＷＥＢサーバ３０、ＳＩＰサーバ４０およびプレゼンスサーバ５０と無線通信を行うことができるようになる（ステップＳ１２）。
【００４０】
以上のように、本実施形態における携帯電話機１０によれば、ＵＲＬ情報取得部１１およびＡＰ探索部１２を備えることによって、無線ＬＡＮのアクセスポイントを探索するように指示することを示す探索指示情報が含まれたＵＲＬを取得した場合に、アクセスポイントを探索することができる。
【００４１】
また、ＡＰ設定情報取得部１３、ＡＰ設定実行部１４およびサーバ設定情報取得部１５を備えることによって、探索したアクセスポイント２０を介してＵＲＬ情報に含まれるＵＲＬ先のＷＥＢサーバ３０に接続することができ、ＳＩＰサーバ４０およびプレゼンスサーバ５０に帰属するためのサーバ設定情報をＷＥＢサーバ３０から取得することができる。
【００４２】
また、設定情報統合部１６を備えることによって、ＵＲＬ接続情報、アクセスポイント設定情報およびサーバ設定情報を一つのプロファイルに統合することができるため、携帯電話機１０における処理効率を向上させることができる。
【００４３】
また、サーバ設定実行部１７を備えることによって、取得したサーバ設定情報に基づいて、ＳＩＰサーバ４０およびプレゼンスサーバ５０に帰属するための設定を実行することができる。
【００４４】
すなわち、本実施形態における携帯電話機１０によれば、ＵＲＬ情報に基づいて接続したＷＥＢサーバ３０からサーバ設定情報を取得し、このサーバ設定情報に基づいて、ＳＩＰサーバ４０およびプレゼンスサーバ５０に帰属するための設定を実行することができる。したがって、ＳＩＰサーバ４０およびプレゼンスサーバ５０に帰属するための初期設定操作を軽減させることができ、ひいては、ユーザの利便性を向上させることができる。
【００４５】
なお、上述した実施形態においては、携帯電話機１０が帰属するサーバとして、ＳＩＰサーバ４０およびプレゼンスサーバ５０を用いて説明しているが、本願発明が適用可能な範囲をこれらのサーバに限定するものではない。携帯電話機１０が帰属するために初期設定を要するサーバであればどのようなサーバにも適用可能である。例えば、ＶｏＩＰ（Voice over Internet Protocol）サーバであってもよい。
【図面の簡単な説明】
【００４６】
【図１】通信システムのシステム構成を例示する図である。
【図２】図１に示す携帯電話機の機能構成を例示する図である。
【図３】図２に示す統合設定情報ファイルのデータ構成を例示する図である。
【図４】通信システムにおけるサーバ設定情報登録処理の流れを説明するためのシーケンスチャートである。
【符号の説明】
【００４７】
１・・・通信システム、１０・・・携帯電話機、１１・・・ＵＲＬ情報取得部、１２・・・ＡＰ探索部、１３・・・ＡＰ設定情報取得部、１４・・・ＡＰ設定実行部、１５・・・サーバ設定情報取得部、１６・・・設定情報統合部、１７・・・サーバ設定実行部、１９・・・統合設定情報ファイル、２０・・・アクセスポイント、３０・・・ＷＥＢサーバ、４０・・・ＳＩＰサーバ、５０・・・プレゼンスサーバ、９０・・・無線ＬＡＮ網。
【図１】
2007102562.tif 000003
【図２】
2007102562.tif 000004
【図３】
2007102562.tif 000005
【図４】
2007102562.tif 000006